(57)【要約】      （修正有）【課題】本から抜け落ちにくく、本からはみ出す部分が小さいしおりを提供する。【解決手段】しおり１０１は、略長方形形状の第１平板１０と、第１平板１０と対向するように配置された略長方形形状の第２平板２０と、第１平板１０及び第２平板２０と接合した第１湾曲板４０とを具備している。第１湾曲板４０は、第２平板端部側辺縁２２を第１平板面１０ａに押し付けるように第２平板２０を回動付勢している。しおり１０は、第２平板端部側辺縁２２と第１平板面１０ａとの間にページ紙を挟持するから、本から抜け落ちにくい。このとき、第１湾曲板４０がページ紙の小口側に沿って配置され、しおり１０１の本からはみ出す部分は小さい。【選択図】図１
0003129595.tif 000002
【実用新案登録請求の範囲】
【請求項１】
略長方形形状の第１平板と、
前記第１平板と対向するように配置された略長方形形状の第２平板と、
第１湾曲板第１端部と第１湾曲板第２端部とを備え、前記第１湾曲板第１端部と前記第１湾曲板第２端部の間で湾曲した第１湾曲板と
を具備し、
前記第１平板は、前記第２平板側に配置された第１平板面と、第１平板第１辺縁と、前記第１平板第１辺縁の反対側に配置された第１平板第２辺縁とを備え、前記第１平板第１辺縁において前記第１湾曲板第１端部に接合し、
前記第２平板は、第２平板基部側辺縁と、前記第２平板基部側辺縁の反対側に配置された第２平板端部側辺縁とを備え、前記第２平板基部側辺縁において前記第１湾曲板第２端部に接合し、
前記第１平板第１辺縁及び前記第２平板基部側辺縁は、互いに平行、且つ、長さが等しく、
前記第１平板第１辺縁と前記第１平板第２辺縁の間隔は、前記第２平板基部側辺縁と前記第２平板端部側辺縁の間隔より大きく、前記第１平板第１辺縁の長さより小さく、
前記第１湾曲板は、前記第２平板端部側辺縁を前記第１平板面に押し付けるように前記第２平板を回動付勢する
しおり。
【請求項２】
前記第１平板面側で前記第１平板と対向するように配置された略長方形形状の第３平板と、
第２湾曲板第１端部と第２湾曲板第２端部とを備え、前記第２湾曲板第１端部と前記第２湾曲板第２端部の間で湾曲した第２湾曲板と
を具備し、
前記第１平板は、前記第１平板第２辺縁において前記第２湾曲板第１端部に接合し、
前記第３平板は、第３平板基部側辺縁と、前記第３平板基部側辺縁の反対側に配置された第３平板端部側辺縁とを備え、前記第３平板基部側辺縁において前記第２湾曲板第２端部に接合し、
前記第１平板第２辺縁及び前記第３平板基部側辺縁は、互いに平行、且つ、長さが等しく、
前記第３平板基部側辺縁と前記第３平板端部側辺縁の間隔は、前記第２平板基部側辺縁と前記第２平板端部側辺縁の間隔より小さく、
前記第２湾曲板は、前記第３平板端部側辺縁を前記第１平板面に押し付けるように前記第３平板を回動付勢する
請求項１のしおり。
【請求項３】
略長方形形状の第３平板と、
第２湾曲板第１端部と第２湾曲板第２端部とを備え、前記第２湾曲板第１端部と前記第２湾曲板第２端部の間で湾曲した第２湾曲板と
を具備し、
前記第１平板は、前記第１平板面の反対側に第２平板面を備え、
前記第３平板は、前記第２平板面側で前記第１平板と対向し、
前記第１平板は、前記第１平板第２辺縁において前記第２湾曲板第１端部に接合し、
前記第３平板は、第３平板基部側辺縁と、前記第３平板基部側辺縁の反対側に配置された第３平板端部側辺縁とを備え、前記第３平板基部側辺縁において前記第２湾曲板第２端部に接合し、
前記第１平板第２辺縁及び前記第３平板基部側辺縁は、互いに平行、且つ、長さが等しく、
前記第３平板基部側辺縁と前記第３平板端部側辺縁の間隔は、前記第２平板基部側辺縁と前記第２平板端部側辺縁の間隔より小さく、
前記第２湾曲板は、前記第３平板端部側辺縁を前記第２平板面に押し付けるように前記第３平板を回動付勢する
請求項１のしおり。
【請求項４】
前記第１平板は、前記第２平板側に配置された第２平板面を備え、
前記第２平板面は、前記第１平板面よりも前記第１平板第１辺縁側に位置し、
前記第１平板面が高くなるように前記第１平板面と前記第２平板面とに段差が設けられた
請求項１のしおり。
【考案の詳細な説明】
【技術分野】
【０００１】
本考案は、しおりに関する。
【背景技術】
【０００２】
長方形の紙がしおりとして用いられている。
【０００３】
このようなしおりは、ページ紙の間に挟まれているだけであるから、本を鞄に入れて持ち歩いたときに本から抜け落ちる場合がある。
【０００４】
特許文献１は、クリップしおりを開示している。クリップしおりは、図７に示すように、基部２０１と基部２０１に結合した挟持部２０２とを備えている。クリップしおりは、可撓性のあるベース部材２００に曲率のある切込み２００ａを設けることで形成されている。クリップしおりは、挟持部２０２でページ紙を挟持するから、本から抜け落ちることが防がれる。
【０００５】
しかし、このクリップしおりにおいては、挟持部２０２でページ紙を挟持したときに本からはみ出した基部２０１が邪魔になる。
【特許文献１】特開平０５−３４５４９１号広報
【考案の開示】
【考案が解決しようとする課題】
【０００６】
本考案の目的は、本から抜け落ちにくく、本からはみ出す部分が小さいしおりを提供することである。
【課題を解決するための手段】
【０００７】
以下に、（考案を実施するための最良の形態）で使用される番号を用いて、課題を解決するための手段を説明する。これらの番号は、（実用新案登録請求の範囲）の記載と（考案を実施するための最良の形態）との対応関係を明らかにするために付加されたものである。ただし、それらの番号を、（実用新案登録請求の範囲）に記載されている考案の技術的範囲の解釈に用いてはならない。
【０００８】
本考案によるしおり（１０１）は、略長方形形状の第１平板（１０）と、前記第１平板と対向するように配置された略長方形形状の第２平板（２０）と、第１湾曲板第１端部(４１）と第１湾曲板第２端部（４２）とを備え、前記第１湾曲板第１端部と前記第１湾曲板第２端部の間で湾曲した第１湾曲板（４０）とを具備している。前記第１平板は、前記第２平板側に配置された第１平板面（１０ａ）と、第１平板第１辺縁（１１）と、前記第１平板第１辺縁の反対側に配置された第１平板第２辺縁（１２）とを備え、前記第１平板第１辺縁において前記第１湾曲板第１端部に接合している。前記第２平板は、第２平板基部側辺縁（２１）と、前記第２平板基部側辺縁の反対側に配置された第２平板端部側辺縁（２２）とを備え、前記第２平板基部側辺縁において前記第１湾曲板第２端部に接合している。前記第１平板第１辺縁及び前記第２平板基部側辺縁は、互いに平行、且つ、長さ（Ｌ）が等しい。前記第１平板第１辺縁と前記第１平板第２辺縁の間隔（Ｗ１）は、前記第２平板基部側辺縁と前記第２平板端部側辺縁の間隔（Ｗ２）より大きく、前記第１平板第１辺縁の長さ（Ｌ）より小さい。前記第１湾曲板は、前記第２平板端部側辺縁を前記第１平板面に押し付けるように前記第２平板を回動付勢している。
【０００９】
しおり（１０１）は、図２に示すように、第２平板端部側辺縁（２２）と第１平板面（１０ａ）との間にページ紙（７１）を挟持するから、本（７０）から抜け落ちにくい。このとき、第１湾曲板（４０）がページ紙（７１）の小口側（７１ａ）に沿って配置されるから、しおり（１０１）の本（７０）からはみ出す部分は小さい。
【００１０】
さらに、ページ紙（７１）の小口側（７１ａ）に沿う長さ（Ｌ）がページ紙（７１）の小口側（７１ａ）からのど側（７１ｂ）を見る方向の長さ（Ｗ１）より大きいため、ページ紙（７１）をめくりやすく、しおり（１０１）の質量がページ紙（７１）の小口側（７１ａ）に集中するのでページ紙（７１）が勝手にめくれることが防がれる。
【００１１】
また、第２平板端部側辺縁（２２）の長さと第１平板第１辺縁（１１）及び第１平板第２辺縁（１２）の長さとがともにＬであるから、しおり（１０１）がページ紙（７１）を挟持する有効部分の長さがＬである。したがって、しおり（１０１）の大きさに対してページ紙（７１）を挟持する有効部分の長さが最大化されている。
【００１２】
本考案によるしおり（１０２）は、前記第１平板面側で前記第１平板と対向するように配置された略長方形形状の第３平板（３０）と、第２湾曲板第１端部（５１）と第２湾曲板第２端部（５２）とを備え、前記第２湾曲板第１端部と前記第２湾曲板第２端部の間で湾曲した第２湾曲板（５０）とを具備している。前記第１平板は、前記第１平板第２辺縁において前記第２湾曲板第１端部に接合している。前記第３平板は、第３平板基部側辺縁（３１）と、前記第３平板基部側辺縁の反対側に配置された第３平板端部側辺縁（３２）とを備え、前記第３平板基部側辺縁において前記第２湾曲板第２端部に接合している。前記第１平板第２辺縁及び前記第３平板基部側辺縁は、互いに平行、且つ、長さ（Ｌ）が等しい。前記第３平板基部側辺縁と前記第３平板端部側辺縁の間隔（Ｗ３）は、前記第２平板基部側辺縁と前記第２平板端部側辺縁の間隔（Ｗ２）より小さい。前記第２湾曲板は、前記第３平板端部側辺縁を前記第１平板面に押し付けるように前記第３平板を回動付勢している。
【００１３】
本考案によるしおり（１０３）は、略長方形形状の第３平板（３０）と、第２湾曲板第１端部（５１）と第２湾曲板第２端部（５２）とを備え、前記第２湾曲板第１端部と前記第２湾曲板第２端部の間で湾曲した第２湾曲板（５０）とを具備している。前記第１平板は、前記第１平板面の反対側に第２平板面（１０ｂ）を備えている。前記第３平板は、前記第２平板面側で前記第１平板と対向している。前記第１平板は、前記第１平板第２辺縁において前記第２湾曲板第１端部に接合している。前記第３平板は、第３平板基部側辺縁（３１）と、前記第３平板基部側辺縁の反対側に配置された第３平板端部側辺縁（３２）とを備え、前記第３平板基部側辺縁において前記第２湾曲板第２端部に接合している。前記第１平板第２辺縁及び前記第３平板基部側辺縁は、互いに平行、且つ、長さ（Ｌ）が等しい。前記第３平板基部側辺縁と前記第３平板端部側辺縁の間隔（Ｗ３）は、前記第２平板基部側辺縁と前記第２平板端部側辺縁の間隔（Ｗ２）より小さい。前記第２湾曲板は、前記第３平板端部側辺縁を前記第２平板面に押し付けるように前記第３平板を回動付勢している。
【００１４】
しおり（１０２及び１０３）においては、回動付勢力が作用するアームの長さが異なるため、第２平板（２０）と第１平板（１０）の間の挟持力は、第３平板（３０）と第１平板（１０）の間の挟持力と異なる。しおり（１０２及び１０３）においては、間に挟むページ紙（７１）の枚数に応じて、第２平板（２０）及び第１平板（１０）でページ紙（７１）を挟むことと、第３平板（３０）及び第１平板（１０）でページ紙（７１）を挟むこととを使い分けることが可能である。
【００１５】
本考案によるしおり（１０４）において、前記第１平板は、前記第２平板側に配置された第２平板面（１０ｙ）を備える。前記第２平板面は、前記第１平板面（１０ｘ）よりも前記第１平板第１辺縁側に位置する。前記第１平板面が高くなるように前記第１平板面と前記第２平板面とに段差が設けられている。しおり（１０４）は、ページ紙を強く確実に挟むことが可能である。
【考案の効果】
【００１６】
本考案によれば、本から抜け落ちにくく、本からはみ出す部分が小さいしおりが提供される。
【考案を実施するための最良の形態】
【００１７】
添付図面を参照して、本考案によるしおりを実施するための最良の形態を以下に説明する。
【００１８】
（第１の実施形態）
図１は、本考案の第１の実施形態に係るしおり１０１を示している。図１（ａ）は平面図を示し、図１（ｂ）は側面図を示している。
【００１９】
しおり１０１は、第１平板１０と、第２平板２０と、第１湾曲板４０とを備えている。第１平板１０及び第２平板２０は、略長方形形状をしており、互いに対向している。第１平板１０は、平板面１０ａ及び平板面１０ｂを備えている。平板面１０ａ及び平板面１０ｂは、第１平板１０の厚さ方向を向く主面であり、互いに反対方向を向いている。平板面１０ａは、第２平板２０側を向いている。第１平板１０は、第１辺縁１１と、第１辺縁１１の反対側に配置された第２辺縁１２とを備えている。第１辺縁１１及び第２辺縁１２は、互いに平行であり、長さがＬである。第１辺縁１１及び第２辺縁１２の間隔がＷ１で表される。第２平板２０は、基部側辺縁２１と、基部側辺縁２１の反対側に配置された端部側辺縁２２とを備えている。基部側辺縁２１及び端部側辺縁２２は、互いに平行であり、長さがＬである。基部側辺縁２１及び端部側辺縁２２の間隔がＷ２で表される。ここで、Ｗ１はＷ２より大きい。第１湾曲板４０は、第１端部４１と、第２端部４２とを備え、第１端部４１と第２端部４２の間で湾曲している。第１端部４１と第１辺縁１１とが接合し、第２端部４２と基部側辺縁２１とが接合している。第１湾曲板４０は、弾性を有しており、端部側辺縁２２を平板面１０ａに押し付けるように第２平板２０を回動付勢している。
【００２０】
図２を用いてしおり１０１の使用方法を説明する。図２（ａ）は、本７０の第９０ページ及び第９１ページを開いた状態を示している。図２（ｂ）は、本７０の第１００ページ及び第１０１ページを開いた状態を示している。
【００２１】
しおり１０１は、端部側辺縁２２と平板面１０ａの間に第９１ページから第１００ページまでが印刷された５枚のページ紙７１を挟持している。しおり１０１は、ページ紙７１を挟持しているから、本７０から抜け落ちにくい。このとき、第１湾曲板４０がページ紙７１の小口側７１ａに沿って配置されるから、しおり１０１の本７０からはみ出す部分は小さい。しおり１０１に手をかけてページ紙７１をめくることで、第９０及び第９１ページの見開き、並びに第１００及び第１０１ページの見開きを素早く開くことが可能である。ページ紙７１をめくるときに手をかける第１湾曲板４０の背側（外側湾曲面）が滑らかに湾曲しているから、ページ紙で指先を傷つけることが防がれる。
【００２２】
しおり１０１においては、小口側７１ａに沿う長さＬがページ紙７１の小口側７１ａからのど側７１ｂを見る方向の長さＷ１より大きいため、ページ紙７１をめくりやすく、しおり１０１の質量がページ紙７１の小口側７１ａに集中するのでページ紙７１が勝手にめくれることが防がれる。
【００２３】
また、端部側辺縁２２の長さと第１辺縁１１及び第２辺縁１２の長さとがともにＬであるから、しおり１０１がページ紙７１を挟持する有効部分の長さがＬである。したがって、しおり１０１の大きさに対してページ紙７１を挟持する有効部分の長さが最大化されている。
【００２４】
なお、しおり１０１が挟持するページ紙７１の枚数は５枚に限られない。本７０の複数箇所を参照しながら勉強をする場合には、しおり１０１を複数使用すれば良い。
【００２５】
しおり１０１を図２に示すように使用することは、本７０が和書のように縦書きである場合に好ましい。しおり１０１を図３に示すように使用することは、本７０が洋書のように横書きである場合に好ましい。図３において、しおり１０１は、第１湾曲板４０がページ紙７１の天側７１ｃに沿って配置されるようにページ紙７１を挟持している。この場合、ページ紙７１をめくりやすい。
【００２６】
（第２の実施形態）
図４は、本考案の第２の実施形態に係るしおり１０２を示している。図４（ａ）は平面図を示し、図４（ｂ）は側面図を示している。しおり１０２においては、しおり１０１に第３平板３０及び第２湾曲板５０が付加されている。第３平板３０は、第１平板１０に対して第２平板２０と同じ側に配置されている。
【００２７】
しおり１０２は、第１平板１０と、第２平板２０と、第３平板３０と、第１湾曲板４０と、第２湾曲板５０とを備えている。第３平板３０は、略長方形形状をしており、第１平板１０と対向している。第３平板３０は、第１平板１０の平板面１０ａ側に配置されている。第３平板３０は、基部側辺縁３１と、基部側辺縁３１の反対側に配置された端部側辺縁３２とを備えている。基部側辺縁３１及び端部側辺縁３２は、互いに平行であり、長さがＬである。基部側辺縁３１及び端部側辺縁３２の間隔がＷ３で表される。ここで、Ｗ３はＷ２より小さく、Ｗ２とＷ３の和はＷ１より小さい。第２湾曲板５０は、第１端部５１と第２端部５２とを備え、第１端部５１と第２端部５２との間で湾曲している。第１端部５１と第２辺縁１２とが接合し、第２端部５２と基部側辺縁３１とが接合している。第２湾曲板５０は、弾性を有しており、端部側辺縁３２を平板面１０ａに押し付けるように第３平板３０を回動付勢している。
【００２８】
しおり１０２においては、ページ紙７１を端部側辺縁２２と平板面１０ａの間に挟持しても良く、端部側辺縁３２と平板面１０ａの間に挟持しても良い。
【００２９】
ここで、第１湾曲板４０と第２湾曲板５０の回動付勢力が等しい場合、端部側辺縁２２と平板面１０ａの間の挟持力は、端部側辺縁３２と平板面１０ａの間の挟持力と異なる。モーメントのアームの長さが異なるためである。Ｗ３がＷ２より小さいから、端部側辺縁３２と平板面１０ａの間の挟持力は、端部側辺縁２２と平板面１０ａの間の挟持力より強い。
【００３０】
したがって、しおり１０２においては、間に挟むページ紙７１の枚数に応じて第２平板２０及び第１平板１０でページ紙７１を挟むことと、第３平板３０及び第１平板１０でページ紙７１を挟むこととを使い分けることが可能である。
【００３１】
（第３の実施形態）
図５は、本考案の第３の実施形態に係るしおり１０３を示している。図５（ａ）は平面図を示し、図５（ｂ）は側面図を示している。しおり１０３においては、しおり１０１に第３平板３０及び第２湾曲板５０が付加されている。第３平板３０は、第１平板１０に対して第２平板２０と反対側に配置されている。
【００３２】
しおり１０３は、第１平板１０と、第２平板２０と、第３平板３０と、第１湾曲板４０と、第２湾曲板５０とを備えている。第３平板３０は、略長方形形状をしており第１平板１０と対向している。第３平板３０は、第１平板１０の平板面１０ｂ側に配置されている。したがって、第２湾曲板５０は、端部側辺縁３２を平板面１０ｂに押し付けるように第３平板３０を回動付勢している。
【００３３】
しおり１０３においては、ページ紙７１を端部側辺縁２２と平板面１０ａの間に挟持しても良く、端部側辺縁３２と平板面１０ｂの間に挟持しても良い。
【００３４】
（第４の実施形態）
図６は、本考案の第４の実施形態に係るしおり１０４の側面図を示している。しおり１０４の平面図は、図２（ａ）に示すしおり１０１の平面図と同様である。しおり１０４は、しおり１０１において、第１平板１０が変更されている。
【００３５】
しおり１０４は、第１平板１０と、第２平板２０と、第１湾曲板４０とを備えている。第１平板１０において、平板面１０ａは、端部側辺縁２２が押し付けられる平板面第１部分１０ｘと平板面第１部分１０ｘよりも第１辺縁１１側に位置する平板面第２部分１０ｙとを含んでいる。平板面第１部分１０ｘが平板面第２部分１０ｙよりも高くなるように、平板面第１部分１０ｘと平板面第２部分１０ｙとに段差が設けられている。そのため、しおり１０４は、ページ紙７１を強く確実に挟むことが可能である。しおり１０４の第１平板１０のような構造をしおり１０２及び１０３の第１平板１０に適用すれば、しおり１０２及び１０３がページ紙７１を挟む挟持力が向上する。
【００３６】
しおり１０１〜１０４は、薄型であるので邪魔にならない。しおり１０１〜１０４は、板１０、２０、３０、４０、５０の寸法Ｌ、Ｗ１、Ｗ２、Ｗ３及び厚さを適切に設計することが可能である。また、しおり１０１〜１０４は、世界中の様々な形式の書籍に対しても使用することができ、聖書や辞書にも好適である。しおり１０１〜１０４は、横書き、縦書き、左右読みにかかわらず使用可能である。
【００３７】
しおり１０１〜１０３は、長方形形状をした金属板を塑性加工することで容易に製造することができる。しおり１０１は、第１湾曲板４０になる箇所で金属板を折り曲げることで製造できる。しおり１０２及び１０３は、第１湾曲板４０になる箇所と、第２湾曲板５０になる箇所とで金属板を折り曲げることで製造できる。母材である金属板の板厚を変えることにより、ページ紙７１を挟む力を調節することができる。しおり１０４は、しおり１０１の平板面１０ａの端部側辺縁２２が押し付けられる部分に、他の板を固着することで製造できる。他の板を固着するには、例えば、両面粘着テープで貼り付けてもよく、接着剤で接着してもよい。他の板としては、例えば、金属板、紙、革を用いることができる。平板面第１部分１０ｘが紙で構成されたしおり１０４は、挟持しているページ紙７１に対して滑りにくい。
【００３８】
ここで金属板の素材には、アルミニウムと、ジュラルミンのようなアルミニウム合金とが好適に用いられる。アルミニウム等は、加工性が優れており、安価である。さらに、飲料用アルミニウム缶を見れば明らかなように、アルミニウムは印刷ののりが優れている。
【００３９】
また、貴金属素材の金属板を用いても良い。金やその合金で作られたしおり１０１〜１０４は豪華であり、蓄財用にも最適である。ここで、しおり１０１〜１０４に彫金を施すと使用者の愛着が高まる。プラチナやその合金で作られたしおり１０１〜１０４は、熱に強い。銀やその合金でしおり１０１〜１０４を作っても良い。
【００４０】
しおり１０１〜１０４は、母材である金属板の表面にゴム又はプラスチックの皮膜層を設けることで使い勝手が更に良くなる。
【００４１】
また、しおり１０１〜１０４の素材には、ポリエチレンのような化学合成品を用いても良い。ポリエチレンのような材料は、加工性が優れており、安価である。ポリエチレンのような材料を用いると、しおり１０１〜１０４を一体成形することが可能である。
【００４２】
企業は、しおり１０１〜１０４を景品として、又は宣伝媒体として利用できる。企業は、企業、商品を表す文字や図形、又はメッセージをしおり１０１〜１０４に表示することができる。これらの文字や図形、及びメッセージは、しおり１０１〜１０４を使用する人だけではなく、しおり１０１〜１０４の使用中に周囲にいる人からも見られるので、企業はしおり１０１〜１０４を用いて大勢の人に情報を伝えることができる。これらの文字や図形、及びメッセージは、しおり１０１〜１０４のどの部分に表示してもよいが、第２平板２０及び第３平板３０の外側面に表示すると、しおり１０１〜１０４の使用中に見えやすい。ここで、第２平板２０の外側面は、第２平板２０の厚さ方向を向く面であって、第１平板１０の方向の逆方向を向く面である。第３平板３０の外側面は、第３平板３０の厚さ方向を向く面であって、第１平板の方向の逆方向を向く面である。企業は、しおり１０１〜１０４の表面を美しくデザインし、勤勉、高貴、知的な企業イメージを顧客に訴えることができる。
【００４３】
しおり１０１〜１０４は、本を良く読む人々によって使用されるため、これらの人々の間で企業イメージを高めるために好適である。
【図面の簡単な説明】
【００４４】
【図１】図１（ａ）は、本考案の第１の実施形態に係るしおりの平面図である。図１（ｂ）は本考案の第１の実施形態に係るしおりの側面図である。
【図２】図２は、本考案の第１の実施形態に係るしおりを使用した状態を示す図である。図２（ａ）は、本の第９０ページ及び第９１ページを開いた状態を示している。図２（ｂ）は、本の第１００ページ及び第１０１ページを開いた状態を示している。
【図３】図３は、本考案の第１の実施形態に係るしおりを使用した他の状態を示す図である。
【図４】図４（ａ）は、本考案の第２の実施形態に係るしおりの平面図である。図４（ｂ）は本考案の第２の実施形態に係るしおりの側面図である。
【図５】図５（ａ）は、本考案の第３の実施形態に係るしおりの平面図である。図５（ｂ）は本考案の第３の実施形態に係るしおりの側面図である。
【図６】図６は、本考案の第４の実施形態に係るしおりの側面図である。
【図７】図７は、従来のクリップしおりを示す図である。
【符号の説明】
【００４５】
１０１、１０２、１０３…しおり
１０…第１平板
１０ａ、１０ｂ…平板面
１０ｘ…平板面第１部分
１０ｙ…平板面第２部分
１１…第１辺縁
１２…第２辺縁
２０…第２平板
２１…基部側辺縁
２２…端部側辺縁
３０…第３平板
３１…基部側辺縁
３２…端部側辺縁
４０…第１湾曲板
４１…第１端部
４２…第２端部
５０…第２湾曲板
５１…第１端部
５２…第２端部
７０…本
７１…ページ紙
７１ａ…小口側
７１ｂ…のど側
７１ｃ…天側
２００…ベース部材
２００ａ…切込み
２０１…基部
２０２…挟持部
【図１】
0003129595.tif 000003
【図２】
0003129595.tif 000004
【図３】
0003129595.tif 000005
【図４】
0003129595.tif 000006
【図５】
0003129595.tif 000007
【図６】
0003129595.tif 000008
【図７】
0003129595.tif 000009